(57)【要約】【課題】  構造が頗る簡単で安価に量産が出来、しかも取り扱い施行が容易なゲージを用いた覗き穴の施行方法を提唱すること【解決手段】  樹脂または木材あるいは軽金属からなり、表面積が規定の大きさの平板からなるゲージ本体（１）と、該ゲージ本体（１）の裏面から下方に向けて突出させた把手（２）とを有しかつ、ゲージ本体（１）の外周及び外周側より内側に所望の目印線が画けるような透溝（３）を形成させてなる【選択図】図１
2006200278.tif 000002
【特許請求の範囲】
【請求項１】
樹脂または木材あるいは軽金属からなり、表面積が規定の大きさの平板からなるゲージ本体（１）と、該ゲージ本体（１）の裏面から下方に向けて突出させた把手（２）とを有しかつ、ゲージ本体（１）の外周及び外周側より内側に所望の目印線が画けるような透溝（３）を形成させた、
ことが特徴の天井覗き穴ゲージ。
【請求項２】
樹脂または木材あるいは軽金属からなり、表面積が規定の大きさの平板からなるゲージ本体（１）と、該ゲージ本体（１）の裏面から下方向に向けて突出させた把手（２）とを有しかつ、ゲージ本体（１）の外周及び外周側より内側に所望の目印線が画けるような透溝（３）を形成させた天井覗き穴ゲージ体（Ｄ）を用い、そのゲージ本体（１）の表面を天井（Ａ）の覗き穴を穿つ部位に、把手（２）をもって添わせ、ゲージ本体（１）の外周をなぞって規定の大きさの覗き穴切断線を天井（Ａ）に画きかつ、必要に応じてその内側の透溝（３）を用いて所望の内側目印線を画くことができるようにしたこと
を特徴とする天井覗き穴ゲージを用いた覗き穴施行方法。
【発明の詳細な説明】
【技術分野】
【０００１】
本発明は建物の天井内部に配設された電気系統や、配管などの点検の為に開閉される覗き穴を作るためのゲージと、該ゲージを用いた覗き穴の施工方法に関する。
【背景技術】
【０００２】
従来上記のような覗き穴を、一般家庭やオフィスや工場の天井に造るには、先ずその所定の位置に曲がり尺のような定規を当て、四角形状の切り取り線を画く。
【０００３】
この場合、かかる覗き穴は４５０ｍ/ｍ×４５０ｍ/ｍと、６００ｍ/ｍ×６００ｍ/ｍの２種類が規格されているが、実際は切り取られた覗き穴の周囲に嵌合される点検枠があるから、その枠の厚さを加味して、４５５ｍ/ｍ×４５５ｍ/ｍ、６０５ｍ/ｍ×６０５ｍ/ｍとする必要があり、かかる天井に規定の巾の切り取り線を画くこと自体頗る面倒であるばかりか、片手で曲がり尺のような定規を支え、他方の手で切り取り線を画くことは至難の業であり、結局正確な切り取り線が画けず、これに基づいて切り取られた覗き穴と、点検蓋との嵌合に支障をきたし、隙間風が侵入したり、塵芥が飛散する原因となる欠点がある。
【０００４】
即ち、いかにかかる覗き穴が正しく切り取られるべきであるかは、近時図９（特許文献１参照）でみられるように、天井点検口枠（a）と、点検蓋（b）から構成され、天井点検口枠（a）に設けられた切欠きに、点検蓋（b）側の突起が嵌合することにより蓋が固定するように構成されたものが主流となっている。
【０００５】
而してこの場合、上記天井点検口枠（a）の周囲には切欠き（c）が間歇的に設けられ、これは点検蓋（b）の突起（d）と嵌合できるようになっているのである。従って、若し天井に開ける覗き穴の寸法に狂いがあると、かかる天井点検口枠（a）を天井に取り付けることはできないのである。
【発明の開示】
【発明が解決しようとする課題】
【０００６】
而して、本発明の主な目的は、上記覗き穴を切り取る切り取り線が常に正しい寸法となる天井覗き穴ゲージを提供し、そのゲージを用いた覗き穴の施行方法を提唱することにある。
【０００７】
本発明の他の目的は、切り取られた板をそのまま天蓋の板として利用できるようにしたことで、当該天蓋板の寸法も常に正しい寸法として取り出せるようにしたゲージを用いた覗き穴の施行方法を提唱するにある。
【０００８】
総じて本発明の目的は、その構造が頗る簡単で安価に量産が出来、しかも取り扱い施行が容易なゲージを用いた覗き穴の施行方法を提唱するにある。
【課題を解決するための手段】
【０００９】
本発明天井覗き穴ゲージの特徴は、樹脂または木材あるいは軽金属からなり、表面積が規定の大きさの平板からなるゲージ本体（１）と、該ゲージ本体（１）の裏面から下方に向けて突出させた把手（２）とを有しかつ、ゲージ本体（１）の外周及び外周側より内側に所望の目印線が画けるような透溝（３）を形成させた、ことである。
【００１０】
またこの天井覗き穴ゲージ体（Ｄ）を用い、そのゲージ本体（１）の表面を天井（Ａ）の覗き穴を穿つ部位に、把手（２）をもって添わせ、ゲージ本体（１）の外周をなぞって規定の大きさの覗き穴切断線を天井（Ａ）に画きかつ、必要に応じてその内側の透溝（３）を用いて所望の内側目印線を画くことができるようにした天井覗き穴ゲージを用いた覗き穴施行方法もその特徴である。
【００１１】
而して、先ず該ゲージ本体（１）の外周になぞって画かれた穴切断線に沿って天井（Ａ）の一部を切断され、結果天井覗き穴が形成される。この場合この天井覗き穴の形成に先立って、上記ゲージ本体（１）の透溝（３）になぞって画いた内側目的線にそって切断し、天蓋を先に作ってもよい。
【００１２】
続いて、上記穿たれた天井覗き穴の周囲及び天蓋の周囲に断面「コ」字形のチャンネル材などを嵌合させ、かかる覗き穴に天蓋を水平に嵌め込むことによって、閉ざされた覗き穴が完成されるのであるが、この嵌合手段については天蓋の着脱が自在であれば、従来公知のいずれの手段であってもよい。
【発明の効果】
【００１３】
而して本発明は、平板状のゲージ本体（１）と、把手（２）と本体（１）内側に目的線の透溝（３）を穿つだけの極く簡単な構造で、それ故に安価に量産できる。
【００１４】
また本発明ゲージ本体（１）は、天井の覗き穴を穿つ部分に当接させ、その周囲と内側の透溝（３）になぞって線を引くだけであるから、その施行は簡単で、誰でも正しい覗き穴の寸法が画けるものである。
【００１５】
さらに本発明は、上記覗き穴の不使用時にその穴を塞ぐ天蓋を切り取られた同一の天井材で造ることができたのであるから、体裁がよく、当該天蓋も内側の目的線に沿って切断するものであるから、常に正しい寸法が得られるのである。
【実施例】
【００１６】
図１で（１）は樹脂または木材あるいは軽金属からなり、表面積が規定の大きさの平板からなるゲージ本体である。該ゲージ本体（１）の裏面（図では上面）から下方（図では上方）に向けて突出させた把手（２）有しかつ、ゲージ本体（１）の外周及び外周側より内側に所望の目印線が画けるような透溝（３）が形成されている。
【００１７】
このゲージ本体（１）は通常四角形の平板で、その周辺の大きさは４５０ｍ/ｍ×４５０ｍ/ｍのものと、６００ｍ/ｍ×６００ｍ/ｍのものが規格となっている。
【００１８】
しかし実際は後述する開けられた穴の周囲に外枠（E）が嵌め込まれるため、その外枠（E）の通常の厚さを加えて、４５５ｍ/ｍ×４５５ｍ/ｍのものと、６０５ｍ/ｍ×６０５ｍ/ｍのものとしてある。
【００１９】
而して穴ゲージ体（Ｄ）を用い、図２のようにそのゲージ本体（１）の表面を天井（Ａ）の覗き穴を穿つ部位（Ｆ）に、把手（２）をもって図３のように添わせゲージ本体（１）の外周をなぞって図４のように規定の大きさの覗き穴切断線（F）を、天井（Ａ）に画きかつ、必要に応じてその内側の透溝（３）を用いて所望の内側目印線（G）を画く。
【００２０】
続いて先ずこの覗き穴切断線（F）に沿って適宜な鋸等で切断し、四角形状の覗き穴（４）を穿つ。次いで切り抜かれた平板の内側に画かれた内側の目的線（G）に沿って切断すると、追って説明する四角形の天蓋（５）が得られる。またこのとき天井（A）に画かれた内側の目的線（Ｇ）に沿って先ず天蓋（５）を造り、次いで覗き穴切断線（F）に沿って再び天井（A）の切断を行い、覗き穴（４）を形成させてもよい。
【００２１】
なお、斯して穿たれた覗き穴（４）の周囲には、図６に示すように断面「コ」字状のチャンネル材（Ｂ）を嵌め込み、同様上記の手段で得られた天蓋（５）の周囲にも逆「コ」字形状のチャンネル材（Ｃ）を嵌め込む。
【００２２】
次いで、覗き穴（４）の不使用時はかかる天蓋（５）を上記覗き穴（４）に嵌合させるのであるが、この場合上記それぞれのチャンネル材（Ｂ）（Ｃ）の厚さは、予め切断寸法に加味されているから、それぞれは蜜に水平状態に嵌合させ得るのである。
【００２３】
また本発明を実施するに当たっては、図７のように把手（２）は四角形のゲージ本体（１）に対して一点鎖線に示すように斜めとした方が使い勝手がよく、内側の目的透溝（３）も所謂点状のものでもよい。
【００２４】
なお、図１で（６）はゲージ本体（１）の周辺の中央部に設けられるゲージ線で、天井（Ａ）のより正しい位置に覗き穴（４）を造る目的となるものである。
【図面の簡単な説明】
【００２５】
【図１】全体の斜視図
【図２】天井におけるゲージ本体の位置を説明する図
【図３】天井にゲージ本体を当接させた断面図
【図４】天井に画かれた目的線の説明図
【図５】切断された天蓋の正面図
【図６】天井と天蓋との嵌合状態の説明断面図
【図７】他の実施例のゲージ本体の平面図
【図８】第７図のＸ〜Ｘ線断面図
【図９】従来の天井と点検蓋の斜視図
【符号の説明】
【００２６】
１    ゲージ本体
２    把手
３    透溝
４    覗き穴
５    天蓋
６    ゲージ線
a     口枠
ｂ    点検蓋
ｃ    切り欠き
ｄ    突起
Ａ    天井
Ｂ    チャンネル材
Ｃ    チャンネル材
D    穴ゲージ体
Ｅ    外枠
Ｆ    部位
【図１】
2006200278.tif 000003
【図２】
2006200278.tif 000004
【図３】
2006200278.tif 000005
【図４】
2006200278.tif 000006
【図５】
2006200278.tif 000007
【図６】
2006200278.tif 000008
【図７】
2006200278.tif 000009
【図８】
2006200278.tif 000010
【図９】
2006200278.tif 000011